(57)【特許請求の範囲】
【請求項１】
本管の内部に位置する複数の管状体を前記本管の内部で支持する管状体支持ユニットであって、前記本管を流れる媒体と熱交換を行う他の媒体を流すための前記複数の管状体の各々の延在方向を揃える前記管状体支持ユニットであって、
前記複数の管状体は、複数の管状体から構成される第１管状体群と、前記第１管状体群とは異なる複数の管状体から構成される第２管状体群とを含み、
前記管状体支持ユニットは、
前記第２管状体群を支持する第２支持体と、
前記第１管状体群および前記第２管状体群の一部を支持する第１支持体と、
前記第１支持体および前記第２支持体を前記本管に対して位置決めする支持保持具とを備え、
前記本管は、第１本管と、前記第１本管の端部に向けて拡径された端部を有する第２本管とを備え、前記本管の内面において前記本管の延在方向に隙間が空くように前記第２本管の端部に前記第１本管の端部が差し込まれており、
前記支持保持具は、前記本管の延在方向に沿う前記支持保持具の変位が抑えられるように前記隙間に嵌まる嵌合部を備える
管状体支持ユニット。
【請求項２】
前記支持保持具は、前記第１支持体と結合する第１支持保持具と、前記第２支持体と結合する第２支持保持具と、前記第１支持保持具と前記第２支持保持具との間に位置して前記第１支持保持具および、前記第２支持保持具を前記本管の内面に向けて押圧する押圧部材とを備える
請求項１に記載の管状体支持ユニット。
【請求項３】
前記第２管状体群は、複数の管状体のなかで前記第１管状体群と隣り合う管状体である境界管状体を含み、
前記第１支持体は、前記第１管状体群と前記境界管状体とを支持する
請求項１または２に記載の管状体支持ユニット。
【請求項４】
前記管状体の延在方向において、前記第１支持体の位置と前記第２支持体の位置とは互
いに異なる
請求項１から３のいずれか一項に記載の管状体支持ユニット。
【請求項５】
前記第１支持体は、前記管状体を１つずつ支持するための複数の支持部を備え、
前記第２支持体は、前記管状体を１つずつ支持するための複数の支持部を備え、
前記第１支持体が備える支持部の数と、前記第２支持体が備える支持部の数とは互いに等しい
請求項１から４のいずれか一項に記載の管状体支持ユニット。
【発明の詳細な説明】
【技術分野】
【０００１】
本発明は、本管の内部に位置する複数の管状体を支持するための管状体支持ユニットに関する。
【背景技術】
【０００２】
工場などの施設から流れ出る排水は、下水管などの本管を通じて処理場などの排出先へ流される。近年、施設などから排出されたエネルギーを再利用する技術として、排水が有する熱量を他の媒体に伝達する技術が開発されている。排水が有する熱量の伝達に際しては、例えば、本管の内部に複数の管状体が配置されて、熱量を受けるための媒体が各管状体の内部に流される（例えば、特許文献１参照）。
【先行技術文献】
【特許文献】
【０００３】
【特許文献１】特開２０１５−２１８９８４号公報
【発明の概要】
【発明が解決しようとする課題】
【０００４】
ところで、本管の内部に位置する各管状体は、本管の内部を流れる排水に押圧されて、排水の流れる方向や管状体の形状に基づく方向などの様々な方向に向けて動く。こうした押圧による管状体の位置のずれは、熱量の伝達される効率、ひいては、エネルギーの再利用される効率を低下させるため、上述した技術においては、本管の内部で各管状体の位置がずれることを抑える技術が望まれている。
本発明は、本管の内部で管状体の位置のずれを抑えることを可能とした管状体支持ユニットを提供することを目的とする。
【課題を解決するための手段】
【０００５】
上記課題を解決するための管状体支持ユニットは、本管の内部に位置する複数の管状体を前記本管の内部で支持する管状体支持ユニットであって、前記本管を流れる媒体と熱交換を行う他の媒体を流すための前記複数の管状体の各々の延在方向を揃える管状体支持ユニットである。前記複数の管状体は、複数の管状体から構成される第１管状体群と、前記第１管状体群とは異なる複数の管状体から構成される第２管状体群とを含み、前記管状体支持ユニットは、前記第２管状体群を支持する第２支持体と、前記第１管状体群および前記第２管状体群の一部を支持する第１支持体とを備える。
【０００６】
上記管状体支持ユニットによれば、第１管状体群と第２管状体群とは、本管の内部を流れる媒体から別々に押圧を受ける。この際、第１管状体群が受ける力は、第１支持体を通じて第２管状体群に分散し、また、第２管状体群が受ける力は、第１支持体を通じて第１管状体群に分散する。また、第１管状体群が受ける力の方向と、第２管状体群が受ける力の方向とは、完全には一致し難く、互いに相殺されることもある。結果として、第１管状体群が受ける力によって第１管状体群の位置がずれること、および、第２管状体群が受ける力によって第２管状体群の位置がずれることを抑えることが可能となる。
【０００７】
上記管状体支持ユニットにおいて、前記管状体支持ユニットは、前記本管の内面における窪みに嵌まる嵌合部を備えてもよい。
上記管状体支持ユニットによれば、管状体支持ユニットが有する嵌合部が本管の内面における窪みに嵌まることによって、管状体支持ユニットの本管に対する位置ずれが抑えられる。また、上述したように、第１支持体と第２支持体との協働によってこれらの位置ずれが抑えられているため、管状体支持ユニットの位置ずれを抑えるために嵌合部が受ける負荷も軽減することが可能でもある。
【０００８】
上記管状体支持ユニットにおいて、前記第２管状体群は、複数の管状体のなかで前記第１管状体群と隣り合う管状体である境界管状体を含み、前記第１支持体は、前記第１管状体群と前記境界管状体とを支持してもよい。
【０００９】
上記管状体支持ユニットによれば、第１支持体に支持される第１管状体群は、一纏まりの管状体として変位しやすく、また、第２支持体に支持される第２管状体群も、一纏まりの管状体として変位しやすい。この際、互いに隣り合う管状体の組みのなかでも、管状体間での変位が大きい組みは、第１支持体に支持される第１管状体群と、第２支持体に支持される第２管状体群とを跨ぐ組みである。上記構成によれば、第１支持体と第２支持体との両方が、これらに共通する境界管状体を支持するため、第１管状体群と第２管状体群とを跨ぐ組みでの変位を好適に抑えることが可能でもある。
【００１０】
上記管状体支持ユニットにおいて、前記管状体の延在方向において、前記第１支持体の位置と前記第２支持体の位置とは互いに異なってもよい。
上記管状体支持ユニットによれば、第１支持体の位置と、第２支持体の位置とが、管状体の延在方向で互いに異なるため、第１支持体と第２支持体とに共通する管状体をこれらによって支持することが容易となる。
【００１１】
上記管状体支持ユニットにおいて、前記第１支持体は、前記管状体を１つずつ支持するための複数の支持部を備え、前記第２支持体は、前記管状体を１つずつ支持するための複数の支持部を備え、前記第１支持体が備える支持部の数と、前記第２支持体が備える支持部の数とは互いに等しくてもよい。
上記管状体支持ユニットによれば、第１支持体と第２支持体とに互いに同じ構造を採用することが可能にもなる。
【発明の効果】
【００１２】
本発明によれば、本管の内部における管状体の位置のずれを抑えることが可能となる。
【図面の簡単な説明】
【００１３】
【図１】本発明の管状体支持ユニットを具体化した一実施の形態における平面構造を本管の断面構造と共に示す平面図。
【図２】一実施の形態における管状体支持ユニットが備える支持体とそれが支持する管状体群との位置の関係を示す構成図。
【図３】変形例の管状体支持ユニットにおける各支持体とそれが支持する管状体群との位置の関係を示す構成図。
【図４】変形例の管状体支持ユニットにおける各支持体とそれが支持する管状体群との位置の関係を示す構成図。
【図５】変形例の管状体支持ユニットにおける各支持体とそれが支持する管状体群との位置の関係を示す構成図。
【図６】変形例の管状体支持ユニットにおける支持体保持部の構成を示す構成図。
【発明を実施するための形態】
【００１４】
一実施の形態における管状体支持ユニットを図１および図２を参照して説明する。
図１が示すように、本管１０は、円管状を有する第１本管１０Ａと、円管状を有する第２本管１０Ｂとから構成されている。第２本管１０Ｂの延在方向における端部である第２端部１０Ｂ１は、第１本管１０Ａに向けて拡径されており、第１本管１０Ａの延在方向における端部である第１端部１０Ａ１は、第２本管１０Ｂの第２端部１０Ｂ１に差し込まれている。第１端部１０Ａ１と第２端部１０Ｂ１との間には、本管の延在方向に空く間隙１０Ｓが、本管１０の周方向におけるほぼ全体に形成されている。
【００１５】
第１本管１０Ａと第２本管１０Ｂとの間隙１０Ｓには、支持体保持具１１が嵌め込まれている。第１端部１０Ａ１の端面と、第２端部１０Ｂ１の段差面との間隙１０Ｓは、本管１０の内面における窪みであり、本管１０における周方向のほぼ全体に形成されている。支持体保持具１１は、本管１０の周方向に沿う環状体であり、本管１０の内周面における窪みである間隙１０Ｓに嵌まる嵌合部１１Ａを備えている。本管１０の間隙１０Ｓにこの嵌合部１１Ａが嵌まることによって、本管１０の延在方向に沿う変位が、支持体保持具１１において抑えられる。
【００１６】
本管１０の内部には、本管１０の延在方向に沿って延びる複数の管状体１２が、互いに平行となるように位置する。互いに隣り合う管状体１２において、一方の管状体１２における先端部は、他方の管状体１２における先端部と、連結部材１３によって連結されている。また、互いに隣り合う管状体１２において、一方の管状体１２における基端部は、他方の管状体１２における基端部と、連結部材１３によって連結されている。各連結部材１３は、それが連結される対象を互いに連通させる曲げ配管である。このように、互いに隣り合う管状体１２が連結部材１３に連結されることによって、複数の管状体１２から構成される管状体群が媒体の流れる一本の流路として機能する。
【００１７】
各管状体１２の並ぶ方向は、管状体１２の配列方向Ｄである。全ての管状体のなかで配列方向Ｄの一端に位置する管状体１２の基端部は、本管１０の外側に延びる導入通路１４に接続されている。全ての管状体１２のなかで配列方向Ｄの他端に位置する管状体１２の先端部は、本管１０の外側に位置する導出ポンプＰに接続されている。導入通路１４は、それが接続された管状体１２に媒体を導入する。導出ポンプＰは、それが接続された管状体１２から媒体を導出する。そして、導入通路１４が導入された媒体は、一本の通路として機能する管状体群を通り、この間、本管１０を流れる媒体から熱量を得て、導出ポンプＰによって導出される。
【００１８】
本管１０の内部に位置する複数の管状体１２は、本管１０の内部に位置する複数の支持体２０によって支持されている。複数の支持体２０は、支持体２０と支持体保持具１１との間の締結構造や嵌合構造を介して、支持体保持具１１に位置決めされている。管状体支持ユニットは、これら複数の支持体２０と上述した支持体保持具１１とから構成されている。
【００１９】
以下、各支持体２０と、それが支持する管状体１２の位置との関係を、図２を参照して説明する。なお、図２においては、各支持体２０と、それが支持する管状体１２の位置との関係を説明する便宜上、互いに隣り合う管状体１２の間隙を誇張して説明すると共に、また、互いに隣り合う管状体１２における間隙の差異の大きさを変えて摸式的に図示する。
【００２０】
図２が示すように、複数の管状体１２は、複数の第１管状体１２Ａから構成される第１管状体群ＧＡと、複数の第２管状体１２Ｂから構成される第２管状体群ＧＢと、複数の第３管状体１２Ｃから構成される第３管状体群ＧＣとから構成されている。第１管状体群ＧＡ、第２管状体群ＧＢ、第３管状体群ＧＣの各々は、管状体１２の配列方向Ｄに連続する管状体１２の集合である。
【００２１】
複数の支持体２０は、第１管状体群ＧＡを支持する第１支持体２０Ａと、第２管状体群ＧＢを支持する第２支持体２０Ｂと、第３管状体群ＧＣを支持する第３支持体２０Ｃとから構成されている。第２管状体群ＧＢは、複数の管状体１２のなかで第１管状体群ＧＡと隣り合う第２管状体１２Ｂである境界管状体１２ＢＡ（図２においてドットを付した管状体１２）を含む。第３管状体群ＧＣは、複数の管状体１２のなかで第２管状体群ＧＢと隣り合う第３管状体１２Ｃである境界管状体１２ＣＢ（図２においてドットを付した管状体１２）を含む。
【００２２】
第１支持体２０Ａは、第１管状体群ＧＡの他に、境界管状体１２ＢＡを支持し、また、第２支持体２０Ｂは、第２管状体群ＧＢの他に、境界管状体１２ＣＢを支持する。言い換えれば、境界管状体１２ＢＡは、第１支持体２０Ａと第２支持体２０Ｂとに支持され、境界管状体１２ＣＢは、第２支持体２０Ｂと第３支持体２０Ｃとに支持される。
【００２３】
ここで、第１管状体群ＧＡと第２管状体群ＧＢとは、本管１０の内部を流れる媒体から別々に押圧を受ける。第１管状体群ＧＡが受ける力は、第１支持体２０Ａを通じて、第２管状体群ＧＢに分散し、また、第２管状体群ＧＢが受ける力は、第１支持体２０Ａを通じて、第１管状体群ＧＡに分散する。この際、第１管状体群ＧＡが受ける力の方向と、第２管状体群ＧＢが受ける力の方向とは、完全には一致し難く、互いに相殺されることもある。結果として、第１管状体群ＧＡが受ける力によって第１管状体群ＧＡの位置がずれること、および、第２管状体群ＧＢが受ける力によって第２管状体群ＧＢの位置がずれることを抑えることが可能となる。
【００２４】
同様に、第２管状体群ＧＢと第３管状体群ＧＣとは、本管１０の内部を流れる媒体から別々に押圧を受ける。第２管状体群ＧＢが受ける力は、第２支持体２０Ｂを通じて、第３管状体群ＧＣに分散し、また、第３管状体群ＧＣが受ける力は、第２支持体２０Ｂを通じて、第２管状体群ＧＢに分散する。ここでも、第２管状体群ＧＢが受ける力の方向と、第３管状体群ＧＣが受ける力の方向とは、完全には一致し難く、互いに相殺されることもある。結果として、第２管状体群ＧＢが受ける力によって第２管状体群ＧＢの位置がずれること、および、第３管状体群ＧＣが受ける力によって第３管状体群ＧＣの位置がずれることを抑えることが可能となる。
【００２５】
また、第１支持体２０Ａに支持される第１管状体群ＧＡは、一纏まりの管状体１２として変位しやすい。また、第２支持体２０Ｂに支持される第２管状体群ＧＢも、一纏まりの管状体１２として変位しやすい。また、第３支持体２０Ｃに支持される第３管状体群ＧＣも、一纏まりの管状体１２として変位しやすい。そのため、互いに隣り合う２つの管状体１２の組みのなかでも、管状体１２の間での相対的な変位が大きい組みは、第１管状体群ＧＡと第２管状体群ＧＢとを跨ぐ組みであり、第２管状体群ＧＢと第３管状体群ＧＣとを跨ぐ組みである。この点、第１管状体群ＧＡと第２管状体群ＧＢとを跨ぐ組みは、第１支持体２０Ａに支持され、また、第２管状体群ＧＢと第３管状体群ＧＣとを跨ぐ組みは、第２支持体２０Ｂに支持される。それゆえに、第１管状体群ＧＡと第２管状体群ＧＢとを跨ぐ組み内での相対的な変位、および、第２管状体群ＧＢと第３管状体群ＧＣとを跨ぐ組み内での相対的な変位を、好適に抑えることが可能ともなる。
【００２６】
なお、各支持体２０において管状体１２を１つずつ支持するための支持部が有する構造は、例えば、管状体１２が嵌め込まれる嵌合溝であってもよいし、管状体１２が載置される隙間溝であってもよい。また、管状体１２を１つずつ支持するための支持部が有する構造は、管状体１２が差し込まれる差込孔であってもよいし、支持体２０の本体に管状体１２を締結する構造であってもよい。
【００２７】
境界管状体１２ＢＡの延在方向において、第１支持体２０Ａの位置と、第２支持体２０Ｂの位置とは互いに異なる。そのため、第１支持体２０Ａと第２支持体２０Ｂとの物理的な干渉が抑えられ、第１支持体２０Ａと第２支持体２０Ｂとに共通する境界管状体１２ＢＡを、これらによって支持することが容易となる。また、境界管状体１２ＢＡの延在方向において、第２支持体２０Ｂの位置と、第３支持体２０Ｃの位置とが、互いに異なる。そのため、第２支持体２０Ｂと第３支持体２０Ｃとの物理的な干渉が抑えられ、第２支持体２０Ｂと第３支持体２０Ｃとに共通する境界管状体１２ＣＢを、これらによって支持することが容易ともなる。
【００２８】
以上、上記実施の形態によれば、以下に列挙する効果が得られる。
（１）各管状体群ＧＡ，ＧＢ，ＧＣが媒体から押圧を受けることによってそれの位置がずれることを抑えることが可能となる。
（２）支持体保持具１１の嵌合部１１Ａが本管１０の内面における窪みに嵌まることによって、管状体支持ユニットの本管１０に対する位置ずれが抑えられるため、各管状体１２における位置のずれを、より高い精度で抑えられる。
【００２９】
（３）互いに隣り合う管状体１２の組のなかで各管状体群ＧＡ，ＧＢ，ＧＣを跨ぐ組み内での変位を好適に抑えることが可能である。
（４）境界管状体１２ＢＡを各支持体２０Ａ，２０Ｂによって支持することが容易でもある。また、境界管状体１２ＣＢを各支持体２０Ｂ，２０Ｃによって支持することが容易でもある。
【００３０】
（５）全ての管状体１２を複数の管状体群ＧＡ，ＧＢ，ＧＣに分割して支持するため、本管１０の有する形状や曲率に合わせて全ての管状体１２を支持することが可能でもある。
【００３１】
なお、上記実施形態は、以下のように変更して実施することができる。
［支持体］
・管状体支持ユニットが備える複数の支持体２０は、互いに異なる大きさを有してもよい。例えば、図３が示すように、管状体１２の配列方向Ｄにおいて、第３支持体２０Ｃは、第２支持体２０Ｂや第１支持体２０Ａよりも短くてもよい。この際、管状体１２の配列方向Ｄにおいて第３支持体２０Ｃの有する長さは、第３管状体群ＧＣの有する長さと略等しいことが好ましい。こうした第３支持体２０Ｃの長さであれば、本管１０を流れる媒体の流れが、第３支持体２０Ｃによって阻害されることが抑えられる。
【００３２】
・また、図３が示すように、管状体１２の配列方向Ｄにおいて第２支持体２０Ｂの有する長さは、第２支持体２０Ｂの端部が第１管状体群ＧＡと第３管状体群ＧＣとの両方に到達する大きさであってもよい。この際、第１管状体群ＧＡは、第１管状体群ＧＡのなかで第２管状体群ＧＢと隣り合う管状体１２である境界管状体１２ＡＢ（図３においてドットを付した管状体１２）を含む。上述した第２支持体２０Ｂの長さであれば、境界管状体１２ＡＢ，１２ＢＡの各々が、第１支持体２０Ａと第２支持体２０Ｂとの両方に支持される。それゆえに、各管状体群ＧＡ，ＧＢが媒体から押圧を受けることによって各々の位置がずれることを、さらに抑えることが可能となる。
【００３３】
・支持体２０の位置は、本管１０の内面と管状体１２との間に限らず、管状体１２に対して本管１０の中心側であってもよい。この際、支持体２０において管状体１２を１つずつ支持するための支持部が有する構造は、例えば、管状体１２が嵌め込まれる嵌合溝である。
【００３４】
また、図４が示すように、本管１０の内面と管状体１２との間に位置する第１支持体２０Ａと、管状体１２に対して本管１０の中心側に位置する第２支持体２０Ｂとが、本管１０の中心から見て重なるように位置し、１つの境界管状体１２ＢＡが、これら第１支持体２０Ａと第２支持体２０Ｂとに挟まれてもよい。同様に、本管１０の内面と管状体１２との間に位置する第３支持体２０Ｃと、管状体１２に対して本管１０の中心側に位置する第２支持体２０Ｂとが、本管１０の中心から見て重なるように位置し、１つの境界管状体１２ＣＢが、これら第３支持体２０Ｃと第２支持体２０Ｂとに挟まれてもよい。こうした支持体２０の配置によれば、本管１０の内面から本管１０の中心に向けた方向、および、本管１０の中心から本管１０の内面に向けた方向の両方で、管状体１２の変位が抑えられる。
【００３５】
・管状体支持ユニットの有する支持体２０の数量は、２つであってもよいし、４つ以上であってもよい。支持体２０の数量が４つ以上であるとき、各支持体２０の配置は、例えば、図５が示すように、本管１０の延在方向における支持体２０による段差を他の支持体２０が埋めるように、支持体２０が敷き詰められることが好ましい。また、管状体１２の配列方向Ｄにおいて支持体２０が敷き詰められることが好ましい。こうした支持体２０の配置によれば、互いに隣り合う支持体２０の間隙に、本管１０を流れる異物が入り込むことが抑えられる。
【００３６】
［支持体保持具］
・図６が示すように、支持体保持具１１は、本管１０の内面に向けて支持体保持具１１の保持具本体１１Ｔを押圧するための押圧構造を備えてもよい。例えば、円環状を有する保持具本体１１Ｔは、半円環状を有する第１保持具本体１１１と、半円環状を有する第２保持具本体１１２とから構成され、第１保持具本体１１１の端部と第２保持具本体１１２の端部との間隙には、その間隙を広げる方向へ第１保持具本体１１１と第２保持具本体１１２とを押圧する押圧部材１１３が位置する。押圧部材１１３は、管状体１２よりも本管１０の内面近傍に位置し、それの延在方向（図中上下方向）を回転軸とした回転によって、第１保持具本体１１１と第２保持具本体１１２との間隙を広げる方向へ、第１保持具本体１１１と第２保持具本体１１２とを押圧する。こうした押圧部材１１３は、例えば、ボルトとナットとによって構成され、押圧部材１１３が間隙を拡張する力は、保持具本体１１Ｔを本管１０の内面に押圧する力に変換される。
【００３７】
そのため、支持体保持具１１の位置が本管１０に対してずれることを抑えることが可能ともなる。また、押圧部材１１３が管状体１２よりも本管１０の内面近傍に位置するため、こうした押圧部材１１３が本管１０の中心近傍に位置する構成と比べて、本管１０の内部を流れる媒体の流れが押圧部材１１３によって阻害されることを抑えることが可能でもある。
【００３８】
・支持体２０を本管１０に固定する機能を支持体２０そのものが備える構成であってもよい。例えば、管状体支持ユニットの備える嵌合部を支持体２０が備え、支持体保持具１１が管状体支持ユニットから割愛されてもよい。こうした支持体２０の構成によれば、管状体支持ユニットを構成する部材の点数を低減することが可能ともなる。
【００３９】
［管状体］
・第１支持体２０Ａと第２支持体２０Ｂとによって支持される管状体１２は、第２管状体群ＧＢのなかで境界管状体１２ＢＡ以外の他の管状体１２であってもよい。また、第２支持体２０Ｂと第３支持体２０Ｃとによって支持される管状体１２は、第３管状体群ＧＣのなかで境界管状体１２ＢＣ以外の他の管状体１２であってもよい。要は、第１支持体２０Ａは、第１管状体群ＧＡおよび第２管状体群ＧＢの一部を支持する構成であればよい。また、第２支持体２０Ｂは、第２管状体群ＧＢおよび第３管状体群ＧＣの一部を支持する構成であればよい。なお、第１支持体２０Ａと第２支持体２０Ｂとのいずれか一方が割愛されてもよい。
【００４０】
・複数の管状体１２は、連結部材１３によって連結される構成に限らず、導入通路１４および導出ポンプＰに管状体１２が１つずつ接続され、各管状体１２が個別の配管として構成されてもよい。
【００４１】
・管状体１２の有する形状は、直管状に限らず、本管１０の延在方向に延在する波線状であってもよいし、本管１０の内周面に沿って延在するスパイラル状であってもよい。また、複数の管状体１２は、１つの管体のなかの一部分であってもよく、要は、複数の管状体は、本管を流れる媒体と熱交換を行う他の媒体を流すための管体であって、複数の管状体の各々の延在方向を管状体支持ユニットが揃える構成であればよい。
【符号の説明】
【００４２】
Ｄ…配列方向、Ｐ…導出ポンプ、ＧＡ…第１管状体群、ＧＢ…第２管状体群、ＧＣ…第３管状体群、１０…本管、１０Ａ…第１本管、１０Ａ１…第１端部、１０Ｂ…第２本管、１０Ｂ１…第２端部、１０Ｓ…間隙、１１…支持体保持具、１１Ａ…嵌合部、１２…管状体、１２Ａ…第１管状体、１２ＡＢ，１２ＢＡ，１２ＣＢ…境界管状体、１３…連結部材、１４…導入通路、２０…支持体、２０Ａ…第１支持体、２０Ｂ…第２支持体、２０Ｃ…第３支持体。
【図１】
0006689647.tif 000002
【図２】
0006689647.tif 000003
【図３】
0006689647.tif 000004
【図４】
0006689647.tif 000005
【図５】
0006689647.tif 000006
【図６】
0006689647.tif 000007